(57)【要約】【課題】竜巻によって飛来する飛来物を好適に防護できる竜巻防護用ネットを提供すること。【解決手段】防護ネット本体４と、防護ネット本体４に取り付けられたボーダロープとを備え、防護ネット本体４は、第１の網５と、第１の網とは網目の異なる第２の網６と、少なくとも第２の網の網目の開口面積以上の大きさの網目を有する第３の網７とを備え、第１の網５と、第２の網６と、第３の網７とが重ね合されている。【選択図】図２
2016079766.tif 000002
【特許請求の範囲】
【請求項１】
防護ネット本体と、
前記防護ネット本体に取り付けられたボーダロープと、
を備え、
前記防護ネット本体は、
第１の網と、
前記第１の網とは網目の異なる第２の網と、
少なくとも前記第２の網の網目の開口面積以上の大きさの網目を有する第３の網と、
を備え、
前記第１の網と、前記第２の網と、前記第３の網とが重ね合されている
竜巻防護用ネット。
【請求項２】
請求項１に記載の竜巻防護用ネットであって、
前記第３の網は、前記第２の網と同じ網目を有する
竜巻防護用ネット。
【請求項３】
請求項２に記載の竜巻防護用ネットであって、
前記第３の網と前記第２の網との間に前記第１の網が配されている
竜巻防護用ネット。
【請求項４】
請求項２に記載の竜巻防護用ネットであって、
前記第２の網と、前記第３の網は、平面方向で強度に異方性を有し、前記第２の網と、前記第３の網とは、前記異方性を相殺するように重ね合されている
竜巻防護用ネット。
【請求項５】
請求項１に記載の竜巻防護用ネットであって、
前記第２の網は、前記第１の網と比較して小さい網目を有する
竜巻防護用ネット。
【請求項６】
請求項１に記載の竜巻防護用ネットであって、
前記第２の網は、前記第１の網と比較して大きい網目を有する
竜巻防護用ネット。
【発明の詳細な説明】
【技術分野】
【０００１】
本発明は、竜巻防護用ネットに関する。
【背景技術】
【０００２】
落石や土砂崩れ等を受け止めて防護するネットが広く知られている。落石等の衝撃によるネットの損傷を予防するために、落石等のエネルギーを効率よく吸収可能な技術が提案されている。
たとえば特許文献１には、飛来物が衝突する可能性が高い領域に、飛来物を防護する防護網に加えて、防護網を補強する補強網を備えることが開示されている。
【先行技術文献】
【特許文献】
【０００３】
【特許文献１】特開２０１３−２５６８４５号公報
【発明の概要】
【発明が解決しようとする課題】
【０００４】
しかしながら、特許文献１に記載の発明では、防護網の表裏の少なくともいずれかに補強網が配されていることでこの補強網が配された部分の強度を高めているに過ぎず、大きな飛来物や小さな飛来物がネットの様々な部位に衝突した場合に十分な防護ができない可能性がある。
竜巻によって飛来する飛来物は、竜巻が巻き上げた様々な物体であり、大きさ，形，及びその重さは様々である。特許文献１に記載の発明は、竜巻により飛来する飛来物について十分に考慮されていない。
【０００５】
本発明は、上述した事情に鑑みてなされたものであって、その目的は、竜巻によって飛来する飛来物を好適に防護できる竜巻防護用ネットを提供することである。
【課題を解決するための手段】
【０００６】
本発明の一態様は、防護ネット本体と、前記防護ネット本体に取り付けられたボーダロープと、を備え、前記防護ネット本体は、第１の網と、前記第１の網とは網目の異なる第２の網と、少なくとも前記第２の網の網目の開口面積以上の大きさの網目を有する第３の網と、を備え、前記第１の網と、前記第２の網と、前記第３の網とが重ね合されている竜巻防護用ネットである。
【０００７】
上記態様の竜巻防護用ネットは、飛来物の大きさに対応してこの飛来物を第１の網と第２の網と第３の網とがそれぞれ受け止めることができる。上記態様では、少なくとも２種類の網目の大きさをなす網の重ね合せとなっており、網目が大きな方は大きな飛来物を受け止め、網目が小さな方は小さな飛来物を受け止めることができる。
【０００８】
前記第３の網は、前記第２の網と同じ網目を有していてもよい。
この場合、第３の網と第２の網とが重ねられているので耐久性が高い。
【０００９】
前記第３の網と前記第２の網との間に前記第１の網が配されていてもよい。
この場合、相対的に小さな網目の網と相対的に大きな網目の網とが交互に重ねられた状態となっているので、飛来物が衝突する側にある相対的に小さな網目の網は、相対的に大きな網目の網に保持されるので、撓みにくい。
【００１０】
前記第２の網と、前記第３の網は、平面方向で強度に異方性を有していてもよく、このとき、前記第２の網と、前記第３の網とは、前記異方性を相殺するように重ね合されている。
この場合、第２の網と第３の網とが重ねられることで全体として平面方向で強度に異方性のない構造となる。
【００１１】
前記第２の網は、前記第１の網と比較して小さい網目を有していてもよい。
この場合、第２の網は、第１の網を通過する小さな飛来物を受け止めることができる。
【００１２】
前記第２の網は、前記第１の網と比較して大きい網目を有していてもよい。
この場合、第２の網は、第１の網により受け止められる飛来物を第１の網とともに受け止めることができる。
【発明の効果】
【００１３】
本発明によれば、竜巻によって飛来する飛来物を好適に防護できる竜巻防護用ネットを提供することができる。
【図面の簡単な説明】
【００１４】
【図１】本発明の第１実施形態の竜巻防護用ネットの斜視図である。
【図２】同竜巻防護用ネットにおける防護ネット本体を示す断面図である。
【図３】防護ネット本体の作用を説明するための図である。
【図４】防護ネット本体の作用を説明するための図である。
【図５】本発明の第２実施形態の竜巻防護用ネットにおける防護ネット本体を示す断面図である。
【図６】防護ネット本体の作用を説明するための図である。
【図７】防護ネット本体の作用を説明するための図である。
【発明を実施するための形態】
【００１５】
（第１実施形態）
本発明の第１実施形態について説明する。図１は、本実施形態の竜巻防護用ネットの斜視図である。図２は、竜巻防護用ネットにおける防護ネット本体を示す断面図である。図３及び図４は、防護ネット本体の作用を説明するための図である。
図１に示す本実施形態の竜巻防護用ネット１は、ボーダロープ２と、固定端部材３と、防護ネット本体４とを備えている。
【００１６】
ボーダロープ２は、防護ネット本体４に連結具を介して取り付けられたワイヤロープである。ボーダロープ２は、防護ネット本体４の外周の各辺に対して１つ、合計で４つ設けられている。ボーダロープ２は、防護ネット本体４の各辺に沿って直線状に張られることで防護ネット本体４を張り広げるための張力を防護ネット本体４に付与する。また、ボーダロープ２は、防護ネット本体４が張り広げられた状態で飛来物が防護ネット本体４に衝突した時に、防護ネット本体４が撓むことにより、防護ネット本体４から牽引力を受ける。
【００１７】
固定端部材３は、ボーダロープ２の固定端２ａを設置対象に固定するために、設置対象に対して固定可能であり、ボーダロープ２に連結可能な部材である。固定端部材３の構成は特に限定されないが、固定端部材３は、竜巻防護用ネット１が設置対象に対して移動しないような重さがある土台や、竜巻防護用ネット１が設置対象に対して移動しないように設置対象に連結される柱や杙等であってよい。固定端部材３は、竜巻防護用ネット１に飛来物が衝突したときに固定端部材３が設置対象から外れない強度で設置対象に対して固定される。また、固定端部材３は、竜巻が生じている状態で竜巻防護用ネット１が風によって設置対象から移動しないように設置対象に対して固定される。
【００１８】
図１及び図２に示すように、防護ネット本体４は、第１の網５と、第２の網６と、第３の網７とを有する。
【００１９】
第１の網５は、第２の網６と第３の網７との間に配置されている。第１の網５は、竜巻により巻き上げられて本実施形態の竜巻防護用ネットに飛来することが想定されている飛来物のうち、比較的大きな飛来物を受け止めるための網としてその構造が決められている。すなわち、第１の網５は、第２の網６及び第３の網７と比較して線径の太い素線５ａ（単線あるいは撚り線）によって、所定の開口面積の開口を有するように編まれた網である。第１の網５の素線５ａの材質は特に限定されない。たとえば、第１の網５の素線５ａの材質の材質として、ステンレス鋼等の金属が採用されてよい。
また、第１の網５は、第２の網６に飛来物が衝突した時に第２の網６を支えるための支持部材としても機能する。
【００２０】
第２の網６は、竜巻により巻き上げられて本実施形態の竜巻防護用ネットに飛来することが想定されている飛来物のうち、比較的小さな飛来物を受け止めるための網としてその構造が決められている。第２の網６は、第１の網５によって受け止められる飛来物よりも小さな飛来物を受け止めるための網である。すなわち、第２の網６は、第１の網５と比較して線径の細い素線６ａ（単線あるいは撚り線）によって、第１の網５における網目よりも開口面積が小さな所定の開口面積の開口を有するように編まれた網である。第２の網６の素線６ａの材質は特に限定されない。たとえば、第２の網６の素線６ａの材質の材質として、ステンレス鋼等の金属が採用されてよい。
第２の網６は、平面方向で強度に異方性を有していてもよい。
【００２１】
第３の網７は、竜巻により巻き上げられて本実施形態の竜巻防護用ネットに飛来することが想定されている飛来物のうち、比較的小さな飛来物を受け止めるための網としてその構造が決められている。第３の網７は、第２の網６と同程度の大きさの飛来物を受け止めるための網である。すなわち、第３の網７は、第１の網５と比較して線径の細い素線７ａ（単線あるいは撚り線）によって、第１の網５における網目よりも開口面積が小さな所定の開口面積（本実施形態では第２の網６の網目の開口面積と同様）の開口を有するように編まれた網である。第３の網７の素線７ａの材質は特に限定されない。たとえば、第３の網７の素線７ａの材質の材質として、ステンレス鋼等の金属が採用されてよい。
第３の網７は、平面方向で強度に異方性を有していてもよい。第２の網６と第３の網７とがいずれも平面方向で強度に異方性を有している場合、第２の網６と第３の網７とは、各々の異方性を相殺するように重ね合される。
【００２２】
第１の網５と、第２の網６及び第３の網７とは、それぞれ互いに異なる飛来物を好適に受け止めることができるように、網目の開口面積が決められている。たとえば、第１の網５は、板状物や塊状物の最小投影面積以下の開口面積となるように素線５ａが編まれている。また、第２の網６及び第３の網７は、棒状物の最小投影面積以下の開口面積となるように素線６ａ及び素線７ａが編まれている。
上記の板状物の一例としては、長さ１．５ｍ、幅１ｍ、厚さ０．１５ｍで質量が５４０ｋｇのコンクリート板を挙げることができる。
上記の塊状物の例としては、長さ２．４ｍ、幅２．６ｍ、奥行き６ｍで質量が２３００ｋｇのコンテナや、長さ５ｍ、幅１．９ｍ、奥行き１．３ｍで質量が４７５０ｋｇのトラックを挙げることができる。
上記の棒状物の例としては、長さ２ｍ、直径０．０５ｍで質量が８．４ｋｇの鋼製パイプや、長さ４．２ｍ、幅０．３ｍ、奥行き０．２ｍで質量が１３５ｋｇの鋼製材を挙げることができる。
の板状物を挙げることができる。
なお、上記の例に示された飛来物よりも最小投影面積が小さい飛来物が想定される場合には、第２の網６及び第３の網７の網目の大きさはその飛来物の大きさに基づいて設定されてよい。
【００２３】
次に、本実施形態の竜巻防護用ネット１の作用について説明する。
本実施形態では、図３に示すように竜巻防護用ネット１の防護ネット本体４に飛来物Ｘ１が衝突する場合、第２の網６の網目の開口面積よりも投影面積が大きな飛来物は第２の網６に引っかかることで、防護ネット本体４に受け止められる。このとき、第２の網６は第１の網５によって支えられた状態となるので、第１の網５によって、第２の網６単体で飛来物を受け止める場合よりも第２の網の変形量は小さくなる。また、第１の網５の網目の中に第２の網６の素線６ａが入り込むように第２の網６が飛来物によって押されても、第３の網７が飛来物を支えることで、第２の網６の素線６ａが切れにくい。
【００２４】
次に、図４に示すように第２の網６の素線６ａが切れる可能性がある大きな飛来物Ｘ２が防護ネット本体４に衝突する場合、第２の網６の素線６ａが切れる可能性があるものの、第１の網５には、飛来物が直接衝突しにくく、第１の網５の素線５ａは切れにくい。また、第１の網５の素線５ａは第２の網６の素線６ａよりも太いので、第１の網５の素線５ａは第２の網６の素線６ａよりも強度が高く切れにくい。さらに、第３の網７は、飛来物により第１の網５が押される力に抗して第１の網５を支える。
【００２５】
第２の網６の素線６ａが切れる可能性がある大きな飛来物が防護ネット本体４に衝突したことで第２の網６の素線６ａの一部が切れた場合、第２の網６において素線６ａが切れた部分では飛来物に対する防護性能が低下している。しかしながら、第２の網６の網目と同様の大きさの網目の第３の網７が設けられていることにより、防護ネット本体４を飛来物が貫通して防護対象物に飛来物が衝突する可能性が低く抑えられている。
【００２６】
以上に説明したように、本実施形態の竜巻防護用ネット１は、飛来物の大きさに対応してこの飛来物を第１の網５と第２の網６と第３の網７とがそれぞれ受け止めることができる。本実施形態では、２種類の網目の大きさをなす網の重ね合せとなっており、網目が大きな方は大きな飛来物を受け止め、網目が小さな方は小さな飛来物を受け止めることができる。
【００２７】
また、第３の網７は、第２の網６と同じ網目を有しおり、第２の網６の素線６ａが切れても、第２の網６が受け止めるべき飛来物を第３の網７が受け止めることができる。このように第３の網７が第２の網６とが重ねられているので、本実施形態の防護ネット本体４は耐久性が高い。
【００２８】
また、第３の網７と第２の網６との間に第１の網５が配されているので、本実施形態では、相対的に小さな網目の網と相対的に大きな網目の網とが交互に重ねられた状態となっている。その結果、飛来物が衝突する側にある相対的に小さな網目の第２の網６は、相対的に大きな網目の第１の網に保持されることとなり、撓みにくい。
【００２９】
また、第２の網６と第３の網７とがそれぞれ平面方向で強度に異方性を有している場合に第２の網６と第３の網７とがそれらの異方性を相殺するように重ね合されているので、全体として平面方向で強度に異方性のない構造となる。
【００３０】
（第２実施形態）
本発明の第２実施形態について説明する。なお、本実施形態では、上記第１実施形態ですでに説明された構成要素と同一の構成要素には、第１実施形態と同一の符号が付され、重複する説明は省略されている。図５は、本実施形態の竜巻防護用ネットにおける防護ネット本体を示す断面図である。図６及び図７は、本実施形態における防護ネット本体の作用を説明するための図である。
【００３１】
図５に示す本実施形態の竜巻防護用ネット１Ａは、上記第１実施形態に開示された防護ネット本体４とは構成が異なる防護ネット本体１４を備えている。
防護ネット本体１４は、上記第１実施形態に開示された第２の網６の素線６ａと同様の素線によって網目が形成された第１の網１５と、上記第１実施形態に開示された第１の網５の素線５ａと同様の素線によって網目が形成された第２の網１６及び第３の網１７とを有する。
本実施形態の第１の網１５は、第２の網１６と第３の網１７との間に配されている。第２の網１６及び第３の網１７の網目の大きさは、第１の網１５の網目の大きさよりも大きい。
【００３２】
次に、本実施形態の竜巻防護用ネット１Ａの作用について説明する。
図６に示すように、本実施形態では、第２の網１６を通過可能な大きさの飛来物Ｘ１は、第２の網１６に衝突したり、第１の網１５に衝突したりすることにより、防護ネット本体１４によって受け止められる。また、第３の網１７は、第１の網１５及び第２の網１６を飛来物が押す力に抗して第１の網１５及び第２の網１６を支える。
【００３３】
また、図７に示すように、第１の網１５の素線が切れる可能性があるような大きな飛来物Ｘ２が防護ネット本体１４に衝突する場合、第１の網１５の素線が切れないように第２の網１６が第１の網１５の素線を保護することができる。
【００３４】
以上、本発明の実施形態について図面を参照して詳述したが、具体的な構成はこの実施形態に限られるものではなく、本発明の要旨を逸脱しない範囲の設計変更等も含まれる。
たとえば、第２の網と第３の網とは、網目の開口面積の大きさが互いに異なっていてもよい。
【符号の説明】
【００３５】
１  竜巻防護用ネット
２  ボーダロープ
３  固定端部材
４，１４  防護ネット本体
５，１５  第１の網
５ａ  第１の網の素線
６，１６  第２の網
６ａ  第２の網の素線
７，１７  第３の網
７ａ  第３の網の素線
Ｘ１，Ｘ２  飛来物
【図１】
2016079766.tif 000003
【図２】
2016079766.tif 000004
【図３】
2016079766.tif 000005
【図４】
2016079766.tif 000006
【図５】
2016079766.tif 000007
【図６】
2016079766.tif 000008
【図７】
2016079766.tif 000009